(57)【要約】或る実施形態は、全般的に、次に限定はされないが、例えばスモールセルのバックグラウンドサーチの方法および装置など、バックグラウンド異周波数間測定に関する。例えば、ＵＥパフォーマンスを緩和することによって、スモールセルを発見するためのＵＥパフォーマンス／能力を制限することを含んでもよい。さらに、どのキャリアにつきパフォーマンスを緩和するかについてＵＥに指示することを含んでもよい。さらに、複数の異周波数／ＲＡＴ間測定のための測定ギャップのギャップ設定を決定することを含んでもよい。さらに、新たなＵＥパフォーマンス要件を提供すること、および、サービングセルをリスンするのを短期間中断するようにＵＥを設定することによって自律的なギャップ設定を提供することを含んでもよい。さらに、新たなギャップ設定を提供することを含んでもよい。【選択図】図４
2016518060.tif 000002
【特許請求の範囲】
【請求項１】
設定された他のパフォーマンスに対して相対的に緩和されたパフォーマンスが、或るキャリアに関して許可されるとユーザ機器によって判断することと；
前記判断された緩和されたパフォーマンスの許可に基づいて、測定機会を、設定されたギャップパターンから前記ユーザ機器によって奪取することと；
を含む方法。
【請求項２】
前記キャリア以外のキャリアに関しては通常のパフォーマンスを維持すること
をさらに含む、請求項１に記載の方法。
【請求項３】
前記奪取は、所定の周期性で発生するように設定される、請求項１または請求項２に記載の方法。
【請求項４】
前記奪取は、前記設定されたギャップパターンから、複数の測定機会を別の用途のために奪うことを含む、請求項１〜３のいずれかに記載の方法。
【請求項５】
前記ユーザ機器は、要件を満たすために前記ユーザ機器が必要とする測定機会のみを使用する、請求項１〜４のいずれかに記載の方法。
【請求項６】
設定された他のパフォーマンスに対して相対的に緩和されたパフォーマンスが、或るキャリアに関してユーザ機器に対し許可されると、基地局によって判断することと；
緩和されたパフォーマンスが前記キャリアに関して許可されるという指示を前記ユーザ機器に対してシグナリングすることと；
を含む方法であって、前記指示は、緩和されたパフォーマンスの前記許可に基づいて、測定機会を、設定されたギャップパターンから奪取するよう前記ユーザ機器をトリガするように構成される、方法。
【請求項７】
少なくとも１つのプロセッサと、コンピュータプログラムコードを備えた少なくとも１つのメモリとを備える装置であって、前記少なくとも１つのメモリおよび前記コンピュータプログラムコードは、前記少なくとも１つのプロセッサとともに、前記装置に少なくとも、
設定された他のパフォーマンスに対して相対的に緩和されたパフォーマンスが、或るキャリアに関して許可されると判断させ、
前記判断された緩和されたパフォーマンスの許可に基づいて、測定機会を、設定されたギャップパターンから奪取させる、
ように構成される、装置。
【請求項８】
前記少なくとも１つのメモリおよび前記コンピュータプログラムコードは、前記少なくとも１つのプロセッサとともに、前記装置に少なくとも、前記キャリア以外のキャリアに関しては通常のパフォーマンスを維持させるように構成される、請求項７に記載の装置。
【請求項９】
前記少なくとも１つのメモリおよび前記コンピュータプログラムコードは、前記少なくとも１つのプロセッサとともに、前記装置に少なくとも、所定の周期性で奪取させるように構成される、請求項７または請求項８に記載の装置。
【請求項１０】
前記少なくとも１つのメモリおよび前記コンピュータプログラムコードは、前記少なくとも１つのプロセッサとともに、前記装置に少なくとも、前記設定されたギャップパターンから、複数の測定機会を別の用途のために奪うことによって、奪取させるように構成される、請求項７〜９のいずれかに記載の装置。
【請求項１１】
前記装置は、要件を満たすために前記装置が必要とする測定機会のみを使用するように設定される、請求項７〜１０のいずれかに記載の装置。
【請求項１２】
少なくとも１つのプロセッサと、コンピュータプログラムコードを備えた少なくとも１つのメモリとを備える装置であって、前記少なくとも１つのメモリおよび前記コンピュータプログラムコードは、前記少なくとも１つのプロセッサとともに、前記装置に少なくとも、
設定された他のパフォーマンスに対して相対的に緩和されたパフォーマンスが、或るキャリアに関してユーザ機器に対し許可されると判断させ、
緩和されたパフォーマンスが前記キャリアに関して許可されるという指示を前記ユーザ機器に対してシグナリングさせる、
ように構成され、前記指示は、緩和されたパフォーマンスの前記許可に基づいて、測定機会を、設定されたギャップパターンから奪取するよう前記ユーザ機器をトリガするように構成される、装置。
【請求項１３】
設定された他のパフォーマンスに対して相対的に緩和されたパフォーマンスが、或るキャリアに関して許可されるとユーザ機器によって判断する手段と；
前記判断された緩和されたパフォーマンスの許可に基づいて、測定機会を、設定されたギャップパターンから前記ユーザ機器によって奪取する手段と；
を備える装置。
【請求項１４】
前記キャリア以外のキャリアに関しては通常のパフォーマンスを維持する手段
をさらに有する、請求項１３に記載の装置。
【請求項１５】
前記奪取は、所定の周期性で発生するように設定される、請求項１３または請求項１４に記載の装置。
【請求項１６】
前記奪取は、前記設定されたギャップパターンから、複数の測定機会を別の用途のために奪うことを含む、請求項１３〜１５のいずれかに記載の装置。
【請求項１７】
前記ユーザ機器は、要件を満たすために前記ユーザ機器が必要とする測定機会のみを使用する、請求項１３〜１６のいずれかに記載の装置。
【請求項１８】
設定された他のパフォーマンスに対して相対的に緩和されたパフォーマンスが、或るキャリアに関してユーザ機器に対し許可されると基地局によって判断する手段と；
緩和されたパフォーマンスが前記キャリアに関して許可されるという指示を前記ユーザ機器に対してシグナリングする手段と；
を備える装置であって、前記指示は、緩和されたパフォーマンスの前記許可に基づいて、測定機会を、設定されたギャップパターンから奪取するよう前記ユーザ機器をトリガするように構成される、装置。
【請求項１９】
ハードウェアにおいて実行されると、請求項１〜６のいずれかに記載の方法を含むプロセスを実行する命令でエンコードされた、非一時的なコンピュータ可読媒体。
【請求項２０】
請求項１〜６のいずれかに記載の方法を含むプロセスを実行するための命令をエンコードするコンピュータプログラム製品。
【発明の詳細な説明】
【関連出願の相互参照】
【０００１】
本願は、２０１３年４月５日出願の米国特許仮出願第６１／８０８，７２１号に関連し、その利益および優先権を主張するものであり、その内容全体を参照により本願明細書に援用したものとする。
【背景】
【０００２】
［分野］
様々な通信システムが、スモールセルのバックグラウンドサーチのための方法および装置の利益を享受し得る。例えば、異種ネットワークは、そのようなバックグラウンドサーチの利益を享受する可能性があり、そのようなサーチを使用して、指定されたレベルのパフォーマンスを実現し得る。
【０００３】
［関連技術の説明］
異種ネットワーク（ＨｅｔＮｅｔ：ｈｅｔｅｒｏｇｅｎｅｏｕｓ  ｎｅｔｗｏｒｋ）展開におけるモビリティ、スモールセルの展開、測定設定、ユーザ機器（ＵＥ：ｕｓｅｒ  ｅｑｕｉｐｍｅｎｔ）の測定パフォーマンス、イベント評価、測定報告、および接続モードにおけるハンドオーバモビリティは、いずれも、ワイヤレス通信をユーザに提供するときの懸念事項である。特に関心が強いのは、例えばＨｅｔＮｅｔまたはスモールセルの拡大と関連した、スモールセル検出のための異周波数間測定パフォーマンスであろう。
【０００４】
参照により本願明細書に援用したものとする、第三世代パートナーシッププロジェクト（３ＧＰＰ：ｔｈｉｒｄ  ｇｅｎｅｒａｔｉｏｎ  ｐａｒｔｎｅｒｓｈｉｐ  ｐｒｏｊｅｃｔ）技術報告書（ＴＲ：ｔｅｃｈｎｉｃａｌ  ｒｅｐｏｒｔ）３６．８３９、「異種ネットワークにおけるモビリティの向上（Mobility Enhancements in Heterogeneous Networks）」に、スモールセルの異周波数間サーチが記載されている。進化型ユニバーサル地上無線アクセスネットワーク（Ｅ−ＵＴＲＡＮ：Ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）は、初期のシステム設計の間、周波数内モビリティに偏重し、これを最適化した。異周波数間は、例えばカバレッジホール、もしくは通常のカバレッジ制限などが原因でサービングキャリアのカバレッジが不十分な場合、またはネットワークがロードバランシングおよびオフローディング目的で他のキャリアを必要とする場合のためにサポートされた。よって、異周波数間測定の設計およびパフォーマンス要件は、ＵＥが最初に異周波数間測定を実行するよう設定されたとき、カバレッジが利用可能な場合には、セル検出、および場合により報告が、ある程度迅速に生じるように設計された。こうして、ハンドオーバのための迅速な反応が可能とされた。異周波数間測定は、基本的に、必要に応じて設定されるように、かつ、設定されたキャリア（単数または複数）上のセルが利用可能であればその迅速な検出を可能にするように設計された。
【先行技術文献】
【非特許文献】
【０００５】
【非特許文献１】第三世代パートナーシッププロジェクト（３ＧＰＰ：ｔｈｉｒｄ  ｇｅｎｅｒａｔｉｏｎ  ｐａｒｔｎｅｒｓｈｉｐ  ｐｒｏｊｅｃｔ）技術報告書（ＴＲ：ｔｅｃｈｎｉｃａｌ  ｒｅｐｏｒｔ）３６．８３９、「異種ネットワークにおけるモビリティの向上（Mobility Enhancements in Heterogeneous Networks）」
【摘要】
【０００６】
或る実施形態によれば、方法は、設定された他のパフォーマンスに対して相対的に緩和されたパフォーマンスが、或るキャリアに関して許可されるとユーザ機器によって判断することを含むことができる。本方法はさらに、判断された緩和されたパフォーマンスの許可に基づいて、測定機会を、設定されたギャップパターンからユーザ機器によって奪取する（ｓｔｅａｌ）ことを含むことができる。
【０００７】
或る実施形態では、方法は、設定された他のパフォーマンスに対して相対的に緩和されたパフォーマンスが、或るキャリアに関してユーザ機器に対し許可されると基地局によって判断することを含むことができる。本方法はさらに、緩和されたパフォーマンスがキャリアに関して許可されるという指示をユーザ機器に対してシグナリングすることを含むことができ、この指示は、緩和されたパフォーマンスの許可に基づいて、測定機会を、設定されたギャップパターンから奪取するようユーザ機器をトリガするように構成される。
【０００８】
或る実施形態による装置は、少なくとも１つのプロセッサと、コンピュータプログラムコードを備えた少なくとも１つのメモリとを備えることができる。該少なくとも１つのメモリおよびコンピュータプログラムコードは、該少なくとも１つのプロセッサとともに、装置に少なくとも、設定された他のパフォーマンスに対して相対的に緩和されたパフォーマンスが、或るキャリアに関して許可されると判断させるよう構成可能である。該少なくとも１つのメモリおよびコンピュータプログラムコードは、該少なくとも１つのプロセッサとともに、装置に少なくとも、判断された緩和されたパフォーマンスの許可に基づいて、測定機会を、設定されたギャップパターンから奪取させるように構成可能である。
【０００９】
或る実施形態では、装置は、少なくとも１つのプロセッサと、コンピュータプログラムコードを備えた少なくとも１つのメモリとを備えることができる。該少なくとも１つのメモリおよびコンピュータプログラムコードは、該少なくとも１つのプロセッサとともに、装置に少なくとも、設定された他のパフォーマンスに対して相対的に緩和されたパフォーマンスが、或るキャリアに関してユーザ機器に対し許可されると判断させるよう構成可能である。該少なくとも１つのメモリおよびコンピュータプログラムコードは、該少なくとも１つのプロセッサとともに、装置に少なくとも、緩和されたパフォーマンスがキャリアに関して許可されるという指示をユーザ機器に対してシグナリングさせるようにも構成可能であり、この指示は、緩和されたパフォーマンスの許可に基づいて、測定機会を、設定されたギャップパターンから奪取するようユーザ機器をトリガするように構成される。
【００１０】
或る実施形態によれば、装置は、設定された他のパフォーマンスに対して相対的に緩和されたパフォーマンスが、或るキャリアに関して許可されるとユーザ機器によって判断する手段を備えることができる。装置はさらに、判断された緩和されたパフォーマンスの許可に基づいて、測定機会を、設定されたギャップパターンからユーザ機器によって奪取する手段を備えることができる。
【００１１】
或る実施形態では、装置は、設定された他のパフォーマンスに対して相対的に緩和されたパフォーマンスが、或るキャリアに関してユーザ機器に対し許可されると基地局によって判断する手段を備えることができる。装置は、緩和されたパフォーマンスがキャリアに関して許可されるという指示をユーザ機器に対してシグナリングする手段も備えることができ、この指示は、緩和されたパフォーマンスの許可に基づいて、測定機会を、設定されたギャップパターンから奪取するようユーザ機器をトリガするように構成される。
【００１２】
或る実施形態によれば、非一時的なコンピュータ可読媒体は、ハードウェアにおいて実行されるとプロセスを実行する命令でエンコードされることが可能である。このプロセスは、上述の方法のうち任意のものとすることができる。
【００１３】
或る実施形態では、コンピュータプログラム製品は、プロセスを実行するための命令をエンコードすることができる。このプロセスは、上述の方法のうちの任意のものとすることができる。
【００１４】
本発明の適切な理解のために、添付の図面を参照すべきである。
【図面の簡単な説明】
【００１５】
【図１】或る実施形態による、マクロセルおよびスモールセルに対して別々のキャリア周波数を有する異種ネットワークの進展を示す。
【図２】或る実施形態による、ワイヤレス音声およびデータ量の予想される経時的増加量のチャートを示す。
【図３】或る実施形態によるシステムのブロック図を示す。
【図４】或る実施形態による方法を示す。
【図５】或る実施形態によるＵＥパフォーマンスグラフを示す。
【図６】或る実施形態によるシグナリングフロー図を示す。
【詳細説明】
【００１６】
或る実施形態は、スモールセルのバックグラウンドサーチのための技術および装置を提供する。さらに、そのような実施形態は、通信ネットワークが所望のパフォーマンスレベルまたはパフォーマンスタイプを達成できるように支援し得る。
【００１７】
図１は、或る実施形態による、マクロセルおよびスモールセルに対して別々のキャリア周波数を有する異種ネットワーク１００の進展を示す。図１に示されているように、現在の容量１４０を有するマクロセルに、例えば改善されたマクロセル１１０として機能するよう、向上した能力が提供されてもよい。あるいは、複数のアクセスポイントが存在する高密度（ｄｅｎｓｉｆｉｅｄ）セル１２０を提供することによって容量が拡張されてもよい。このセルは、従前よりも単位面積あたりのアクセスポイント数が多いという意味で「高密度」である。別の選択肢として、スモールセルがマクロセル１３０とは別の周波数で動作することを可能にすることにより、マクロセル１３０のネットワークに容量が追加されてもよい。
【００１８】
例えば、或る実施形態では、進化型ユニバーサル地上無線アクセスネットワーク（Ｅ−ＵＴＲＡＮ）システムに、より大きな容量が提供されてもよい。そうした容量を達成するための１つの方法は、図１では１３０に関連するものなど、スモールセルを展開することによることができる。これらスモールセルは、例えば無線送信されるデータ量の１０００倍増などの予想される増加にネットワークおよび事業者が対処できるようにするために、オフローディングおよびロードバランシングの目的で、別のキャリア周波数上で展開されてもよい。
【００１９】
図２は、或る実施形態による、ワイヤレス音声およびデータ量の予想される経時的増加量のチャート２００を示す。上述のように、この予想増加量は、具体的にはデータトラフィックが原因で、やがて１０００倍に達する可能性がある。この増加の可能性は、より継続的な形で異周波数間測定を実行するようユーザ機器（ＵＥ）を設定することが、システム、ネットワーク、および事業者にとって価値のあることかもしれないということを意味する。しかしながら、従来の異周波数間測定の設計は、そのような継続的な異周波数間測定のために構成されてはいない。或る実施形態では、過度な複雑性を回避するために、ＵＥあたり１つのみのギャップパターンが設定される。さらにＵＥは、このギャップパターン設定が所与のキャリア周波数に適用されるか否か、通知を受ける必要があることもある。
【００２０】
或る実施形態は、ユーザ機器（ＵＥ）の測定パフォーマンス要件を定義する。現在、３ＧＰＰ  ＴＲ３６．１３３、チャプタ８．１．２．１において、パフォーマンス要件は以下のように定義され得る：異周波数間およびＲＡＴ（ｒａｄｉｏ  ａｃｃｅｓｓ  ｔｅｃｈｎｉｑｕｅ：無線アクセス技術）間測定要件は、ＵＥが当該測定をギャップなしで実施できるとシグナリングしていない限り、１つの測定ギャップパターンによりＵＥが設定されることに依存し得る。ＵＥは、下記表８．１．２．１−１内に列挙される測定ギャップパターンであって、そのＵＥの測定能力に関連し得る当該測定ギャップパターンをサポートするよう設定され得る。
【００２１】
表8.1.2.1-1: ＵＥによりサポートされるギャップパターン設定
2016518060.tif 000003
【００２２】
従来、異周波数間参照信号時間差（ＲＳＴＤ：ｒｅｆｅｒｅｎｃｅ  ｓｉｇｎａｌ  ｔｉｍｅ  ｄｉｆｆｅｒｅｎｃｅ）測定が測定設定の一部として設定される場合、ギャップパターン０のみが使用可能である。異周波数間およびＲＡＴ間要件を定義するために、従来、Ｔｉｎｔｅｒ１＝３０ミリ秒が想定される。
【００２３】
チャプタ８．１．２．１はさらに、「ギャップなしで異周波数間および／または無線アクセス技術間（ＲＡＴ間）セルの識別および測定ができるＵＥは、ギャップパターンＩｄ  ＃０が使用されたかのように各要件に従うものとし、対応する要件について６０ミリ秒の最低使用可能時間ＴＩｎｔｅｒ１が想定されるものとする」と述べている。
【００２４】
従来、３ＧＰＰ  ３６．１３３では、チャプタ８．１．２．３．１．１が、間欠受信（ＤＲＸ：ｄｉｓｃｏｎｔｉｎｕｏｕｓ  ｒｅｃｅｐｔｉｏｎ）が使用されない場合のＵＴＲＡＮ周波数分割複信（ＦＤＤ：Ｆｒｅｑｕｅｎｃｙ−Ｄｉｖｉｓｉｏｎ  Ｄｕｐｌｅｘｉｎｇ）異周波数間測定を規定している。
【００２５】
測定ギャップがスケジュールされる場合、またはＵＥがそのような測定をギャップなしで実施する能力をサポートする場合、ＵＥは、次式によるＴＩｄｅｎｔｉｆｙ＿Ｉｎｔｅｒ以内に新たなＦＤＤ異周波数を識別できる可能性がある。
【００２６】
【数１】
2016518060.tif 000004
【００２７】
式中、ＴＢａｓｉｃ＿Ｉｄｅｎｔｉｆｙ＿Ｉｎｔｅｒ＝４８０ミリ秒である。これは、ＵＥが新たなＦＤＤ異周波数セルを識別するための最大許容時間が定義される、異周波数の式において使用される期間である。Ｎｆｒｅｑは、８．１．２．１．１節に定義され、Ｔｉｎｔｅｒ１は、８．１．２．１節に定義されている。
【００２８】
セルは、以下の条件が満たされれば検出可能とみなされ得る：
【００２９】
付属書（Ａｎｎｅｘ）Ｂ．２．３に従い対応するバンドについて参照信号受信電力（ＲＳＲＰ：Ｒｅｆｅｒｅｎｃｅ  Ｓｉｇｎａｌ  Ｒｅｃｅｉｖｅｄ  Ｐｏｗｅｒ）および
2016518060.tif 000005
；
【００３０】
セクション９．１．３．１および９．１．３．２に示された他のＲＳＲＰ関係の付帯条件ならびにセクション９．１．６．１および９．１．６．２に示された参照信号受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）関係の付帯条件；
【００３１】
付属書Ｂ．２．３に従い対応するバンドについてＳＣＨ＿ＲＰ｜ｄＢｍおよび
2016518060.tif 000006
【００３２】
ＦＤＤ異周波数間測定のために測定ギャップがスケジュールされる場合、またはＵＥがギャップなしでそのような測定を実施する能力をサポートする場合、ＵＥ物理レイヤは、９．１．３．１、９．１．３．２、９．１．６．１、および９．１．６．２の各項にそれぞれ規定された測定精度、表８．１．２．３．１．１−１に示された測定期間によるＲＳＲＰおよびＲＳＲＱ測定を、上位レイヤに報告できてもよい。
【００３３】
表8.1.2.3.1.1-1:測定期間および測定バンド幅
2016518060.tif 000007
【００３４】
ＵＥは、ＦＤＤ異周波数あたり少なくとも４（四）つの異周波数セルのＲＳＲＰおよびＲＳＲＱ測定を、最大３（三）つのＦＤＤ異周波数まで実行できてもよく、ＵＥ物理レイヤは、表８．１．２．３．１．１−１に定義された測定期間で、上位レイヤにＲＳＲＰおよびＲＳＲＱ測定を報告できてもよい。
【００３５】
或る実施形態では、バックグラウンドサーチパフォーマンス要件のためのパフォーマンス要件を設定する際に特定される異なる動作原理が少数ある。例えば、ＵＥは、所与のキャリア上でのサーチ頻度を削減するために、Ｔ＿ｂａｃｋｇｒｏｕｎｄ、例えば４８００ミリ秒毎に、１つの測定機会を「奪取」する。これがＵＥに設定される場合、バックグラウンドサーチのための測定は、通常（既存）のギャップ設定から得られる。
【００３６】
この例示実施形態では、通常の要件に影響を与える必要はないかもしれない。軽減された要件を導入でき、平常の測定に対しては何の影響も許容され得ないと書く。仕様書に規定がなく、現在のところネットワークは、設定されたキャリア間にＵＥが測定機会をどのように分配するのか「認識」していないので、ＵＥが相変わらず平常の測定の要件を満たすよう、奪取されるギャップの量が所定の低閾値でありさえすれば、ＵＥがどのギャップを「奪取」するのかをネットワークが認識する必要はない。
【００３７】
別の例示実施形態では、パフォーマンス低減キャリアに対する、Ｔ＿ｂａｃｋｇｒｏｕｎｄ、例えば４８００ミリ秒毎の、自律的なギャップ設定を利用することができる。換言すれば、ＵＥは、設定された任意の測定ギャップ外で、当該キャリアに切り替えて測定を実行する。すなわち、バックグラウンドサーチ測定のために何らのギャップパターンもアクティブ化されない。測定の周期性は非常に低いので、ネットワークがＴ＿ｂａｃｋｇｒｏｕｎｄ毎に６ミリ秒間ＵＥに到達できないとしても、スループット（ＴＰ：ｔｈｒｏｕｇｈｐｕｔ）の損失という点ではネットワークまたはユーザに大きな悪影響は及ばないはずである。したがって、この例示実施形態では、軽減された要件が１つ導入されるが、通常の要件に影響を与える必要はない。
【００３８】
さらに別の例示実施形態において、Ｔ＿ｂａｃｋｇｒｏｕｎｄ毎、例えば４８００ミリ秒毎に、新たなギャップ設定を導入する技術が使用されてもよい。測定パフォーマンスに影響を反映するためには、この設定を得て、削減された測定時間を表８．１．２．１−１のＴＩｎｔｅｒに反映することができるであろう。例えば、４８００ミリ秒ギャップ期間で、ＴＩｎｔｅｒは０．５ミリ秒となるであろう。しかし、一般にＵＥはすべての測定に対して同じギャップ設定を使用しているので、新たな測定ギャップはいずれも、測定されるすべての周波数に影響するであろう。
【００３９】
別の例示実施形態では、ＵＥは、所与のキャリア上でのサーチ頻度を削減するために、例えば４８００ミリ秒毎に１つのギャップなど、Ｔ＿ｂａｃｋｇｒｏｕｎｄ毎に１つの測定機会を「奪取」する。これがＵＥに設定される場合、ギャップ設定は、通常（既存）のギャップ設定から得られてもよいが、既存のパフォーマンス要件が影響を受ける可能性がある。したがって、通常のキャリア（削減されない通常のセル検出に設定されたキャリア）のパフォーマンスは、わずかに低減することになり（わずかであり、おそらく現実／試験においては検出不可能）、そのキャリアについて、低減されたパフォーマンスに関する新たな要件が定義されることになる。
【００４０】
或る実施形態において、スモールセルの識別に関する別の側面として、ＵＥのパフォーマンス要件に上限を付してもよいということがあろう。すなわち、パフォーマンス要件の指示より高いパフォーマンスが、例えば他のキャリア上での通常のセル検出要件に影響するなど他のパフォーマンス要件に影響を及ぼす場合に（またはそのような影響があり得ることを理由に）、ＵＥは、そのような指示より高いパフォーマンスを出すことを許されなくてもよい。あるいは、不必要な報告を削減するために、ＵＥはパフォーマンス要件より高いパフォーマンスを出すことを許されず、例えば移動中のＵＥがスモールセルについて報告しなくてよいこととすることにより、ハンドオーバ、ピンポンなどが回避される。
【００４１】
新たなＧＡＰ＿ＰＥＲＩＯＤまたはパフォーマンス要件が、例えば４８００ミリ秒などの時間として、または通常のギャップ／要件に対する乗数として定義され得る。
【００４２】
なお、実施形態が、新たなギャップ設定手法が何らとられないことを示す場合、２つの検討が必要とされ得る。一方、新たなギャップパターン手法がとられる場合には、４８００ミリ秒毎など、Ｔ＿ｂａｃｋｇｒｏｕｎｄ毎に、新たなギャップ設定を導入する技術が使用され得る。測定パフォーマンスに影響を反映するためには、この設定を得て、削減された測定時間を表８．１．２．１−１のＴＩｎｔｅｒに反映することができるであろう。例えば、４８００ミリ秒ギャップ期間で、ＴＩｎｔｅｒは０．５ミリ秒となるであろう。しかし、これは、測定されるすべての周波数に影響するであろう。いずれの場合も、ＵＥパフォーマンスを制限する必要がある。
【００４３】
新たなギャップ設定なしの技術の場合、例えば以下の形で、パフォーマンス低減キャリアに対する新たなパフォーマンス要件を実装可能であろう。通常の周波数に対する要件はそのまま保たれてもよい。
【００４４】
８．１．２．３．１．１  Ｅ−ＵＴＲＡＮ  ＦＤＤ−ＤＲＸが使用されない場合のＦＤＤ異周波数間測定。
測定ギャップがスケジュールされる場合、またはＵＥがそのような測定をギャップなしで実施する能力をサポートする場合、ＵＥは、次式によるＴＩｄｅｎｔｉｆｙ＿Ｉｎｔｅｒ以内に新たなＦＤＤ異周波数を識別できる可能性がある。
【００４５】
【数４】
2016518060.tif 000008
【００４６】
パフォーマンス低減キャリアに対して使用される削減された測定を反映するために、例えば以下のようにＴＩｎｔｅｒ１＿ｒｅｄｕｃｅｄの定義が変更されてもよく、または単に、式から直接得られてもよい。
【００４７】
2016518060.tif 000009
【００４８】
例えば４８００ミリ秒毎などが使用され得る、Ｔ＿ｂａｃｋｇｒｏｕｎｄ毎に新たなギャップ設定を導入する実施形態では、例えばＴＩｎｔｅｒ１の定義（ＧＡＰ＿ＰＥＲＩＯＤ毎に６ミリ秒ギャップを想定）において、より少ない測定機会が指示され得る。すなわち、より長い測定ギャップ期間が原因で、異周波数セルを識別／測定するためにより長い時間がかかる。
【００４９】
2016518060.tif 000010
【００５０】
８．１．２．３．１．１  Ｅ−ＵＴＲＡＮ  ＦＤＤ−ＤＲＸが使用されない場合のＦＤＤ異周波数間測定。
一部の実施形態において、測定ギャップがスケジュールされる場合、またはＵＥがそのような測定をギャップなしで実施する能力をサポートする場合、ＵＥは、次式によるＴＩｄｅｎｔｉｆｙ＿Ｉｎｔｅｒ以内に新たなＦＤＤ異周波数を識別できる可能性がある。
【００５１】
【数５】
2016518060.tif 000011
【００５２】
上記の式は、パフォーマンス「低減」キャリアおよび通常パフォーマンスのキャリアに対して、同様のパフォーマンスを提供し得る。もう１つの選択肢は、パフォーマンス低減キャリアが通常要件よりも劣るパフォーマンスを有するように、新たなギャップ設定を定義することであろう。
【００５３】
或る実施形態では、通常のキャリアに対する既存のパフォーマンス要件に影響を与え、新たなパフォーマンスを導入するために、以下の技術が使用されてもよい。
【００５４】
８．１．２．３．１．１  Ｅ−ＵＴＲＡＮ  ＦＤＤ−ＤＲＸが使用されない場合のＦＤＤ異周波数間測定。
測定ギャップがスケジュールされる場合、またはＵＥがそのような測定をギャップなしで実施する能力をサポートする場合、ＵＥは、次式によるＴＩｄｅｎｔｉｆｙ＿Ｉｎｔｅｒ以内に新たなＦＤＤ異周波数を識別できる可能性がある。
（新たなギャップ設定なし）
【００５５】
【数６】
2016518060.tif 000012
【００５６】
上記の式は、ＵＥが測定機会のｘ％を使用するとみなし得る。例えば、ＧＡＰ＿ＰＥＲＩＯＤ＝４８００ミリ秒および８０ミリ秒のギャップ期間（＝Ｔｉｎｔｅｒ１＝３０）では、以下の結果となる：Ｔｉｄｅｎｔｉｆｙ＿Ｉｎｔｅｒ＝通常の８０ミリ秒要件掛ける６０／５９；およびＴｉｄｅｎｔｉｆｙ＿ｉｎｔｅｒ＿ｒｅｄｕｃｅｄ＝通常の８０ミリ秒要件掛ける６０／１（掛ける６０）。
【００５７】
さらに、ＵＥがより高いパフォーマンスを出すことは許されないということを捕捉するために、パフォーマンス低減キャリアに関して制限より高いパフォーマンスを出すことをＵＥは許されないということが指示されてもよい。したがって、ＵＥがセルを過度に高速に検出しないことが保証される。すなわち、少なくともＧＡＰ＿ＰＥＲＩＯＤ半分は離れた少なくとも２つの測定を使用してＵＥがセルを測定してよいと指定することにより、これを保証することができるであろう。
【００５８】
なお、上記の例示の実施形態では、異周波数間パフォーマンス要件のみが影響を受けるが、当然、これを拡大して、例えばＲＡＴ間測定も含むようにすることができる。
【００５９】
図３は、或る実施形態によるシステムのブロック図を示す。一実施形態において、システムは、例えばマクロセル３００、ユーザ機器３２５、およびスモールセル３５０などのいくつかのデバイスを有してもよい。マクロセル３００は、図１に示されたマクロセル１１０に対応し得る。システムは、マクロセル、ユーザ機器、またはスモールセルを２つ以上有してもよいが、それぞれ１つのみが例示目的で示されている。マクロセル３００は、ｅＮｏｄｅＢであってもよい。ユーザ機器３２５は、タブレットコンピュータ、携帯電話、スマートフォン、ラップトップコンピュータ、携帯情報端末（ＰＤＡ：ｐｅｒｓｏｎａｌ  ｄｉｇｉｔａｌ  ａｓｓｉｓｔａｎｔ）など、任意のインターネット接続デバイスとされ得る。スモールセル３５０は、ピコセル、フェムトセルなどであってもよい。
【００６０】
システム中の各デバイスは、３１０、３３５、および３６０とそれぞれ示された、少なくとも１つのプロセッサを有してもよい。少なくとも１つのメモリが各デバイスに設けられてもよく、それぞれ３１５、３４０、および３６５と示されている。メモリは、メモリに含まれたコンピュータプログラム命令またはコンピュータコードを有してもよい。１つ以上の送受信機３０５、３３０、および３５５が設けられてもよく、各デバイスはさらに、３２０、３４５、および３７０とそれぞれ示されたアンテナを有してもよい。それぞれ１つのみのアンテナが示されているが、多数のアンテナおよび複数のアンテナ構成要素が、各デバイスに設けられてもよい。例えば、これらデバイスの他の構成が提供されてもよい。例えば、マクロセル３００、ユーザ機器３２５、およびスモールセル３５０は、追加的に、またはもっぱら、有線通信用に構成されてもよく、そのような場合、アンテナ３２０、３４５、および３７０は、アンテナのみに限定されずに任意の形態の通信ハードウェアを示し得る。
【００６１】
送受信機３０５、３３０、および３５５は、それぞれ個別に、送信機であっても、受信機であっても、送信機および受信機の両方であってもよく、または送信および受信両方のために設定可能なユニットもしくはデバイスであってもよい。
【００６２】
プロセッサ３１０、３３５、および３６０は、中央処理ユニット（ＣＰＵ：ｃｅｎｔｒａｌ  ｐｒｏｃｅｓｓｉｎｇ  ｕｎｉｔ）、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、または類似のデバイスなど、任意の計算デバイスもしくはデータ処理デバイスにより具現化されてもよい。プロセッサは、単一のコントローラ、または複数のコントローラもしくはプロセッサとして実装されてもよい。
【００６３】
メモリ３１５、３４０、および３６５は、個別に、非一時的なコンピュータ可読媒体など、任意の適切なストレージデバイスとされ得る。ハードディスクドライブ（ＨＤＤ：ｈａｒｄ  ｄｉｓｋ  ｄｒｉｖｅ）、ランダムアクセスメモリ（ＲＡＭ：ｒａｎｄｏｍ  ａｃｃｅｓｓ  ｍｅｍｏｒｙ）、フラッシュメモリ、またはその他適切なメモリが使用され得る。メモリは、プロセッサとしての単一の集積回路上に統合されてもよく、またはそれとは別個であってもよい。さらに、コンピュータプログラム命令は、メモリに記憶されてもよく、プロセッサにより処理されてもよく、例えば任意の適切なプログラミング言語で書かれたコンパイル型またはインタープリタ型コンピュータプログラムなどの任意の適切な形式のコンピュータプログラムコードとされてもよい。
【００６４】
メモリおよびコンピュータプログラム命令は、特定のデバイスのプロセッサとともに、マクロセル３００、ユーザ機器３２５、およびスモールセル３５０などのハードウェア装置に上述のプロセスのいずれかを実行させるように構成されてもよい。したがって、或る実施形態では、非一時的なコンピュータ可読媒体が、ハードウェアにおいて実行されると本願明細書に記載されたプロセスのうちの１つなどのプロセスを実行できるコンピュータ命令でエンコードされてもよい。あるいは、本発明の或る実施形態は、完全にハードウェアにおいて実行されてもよい。
【００６５】
図４は、或る実施形態による方法４００を示す。図４の４１０で、本方法は、パフォーマンスを緩和／低減するようＵＥを設定することによって、スモールセルを発見するためのＵＥのパフォーマンス／能力を制限することを含んでもよい。
【００６６】
４２０で、本方法はさらに、どのキャリアにつきＵＥパフォーマンスを緩和／低減するかについてＵＥに指示することを含んでもよい。
【００６７】
４３０で、本方法はさらに、複数の異周波数／ＲＡＴ間測定のための測定ギャップのギャップ設定を決定することを含んでもよい。
【００６８】
４４０で、本方法はさらに、新たなＵＥパフォーマンス要件を提供することを含んでもよい。新たなＵＥパフォーマンス要件は、スモールセルを発見するためのＵＥの能力を制限することによって、ステップ４１０と同様に機能してもよい。
【００６９】
４５０で、本方法は、サービングセルをリスンする（ｌｉｓｔｅｎ）のを短期間中断／停止するようにＵＥを設定することによって自律的なギャップ設定を提供することを含んでもよい。
【００７０】
４６０で、本方法はさらに、新たなギャップ設定を提供することを含んでもよい。新たなギャップ設定も、スモールセルを発見するためのＵＥの能力を制限してもよい。
【００７１】
図５は、或る実施形態によるＵＥパフォーマンスグラフ５００を示す。図５は、或る実施形態による（３６．１３３に指定されている）ＵＥの「最低」パフォーマンスと、ＵＥの「最高」パフォーマンスとを示す。
【００７２】
例えば、最低パフォーマンスは、より高いパフォーマンスを出すこともＵＥはできるが、ＵＥにより想定可能な、最低のパフォーマンスとされ得るものを示す。
【００７３】
一部の実施形態では、「最高」パフォーマンスは、最高のＵＥパフォーマンスに対して何らかの（所定の）制限を導入することにより決定されて、その結果、ＵＥが制限より高いパフォーマンスを出さないことを保証してもよい。これは、例えばスモールセル検出に関連する、特定の手続きを削減するのに有益である。
【００７４】
図５に示されているように、検出されたセルについて、尚早に、すなわち検出されたセルがＴ＝０からＴ＝最高パフォーマンスの間にある時に、ネットワークに報告されることはない。検出されたセルについてネットワークに報告されるのは、早くても、Ｔ＝最高パフォーマンスからＴ＝最低パフォーマンスの間とすることができる。換言すれば、ＵＥは、Ｔ＝０に測定を開始してよいが、たとえＴ＝０で、またはＴ＝最高パフォーマンスの前に、すなわちＴ＝０からＴ＝最高パフォーマンスの間にＵＥがセルを検出したとしても、このことはＵＥにとって、例えばネットワークへの報告などの何らのアクションにもつながらない。
【００７５】
さらに、ＵＥがＴ＝０でセルを検出した場合であって、Ｔ＝最高パフォーマンスでそのセルが相変わらず検出可能（さらに、例えばそのセルがＴ＝最低パフォーマンスでも相変わらず検出可能）であり、かつ所定の報告条件を満たす場合、セルについてネットワークに報告される。
【００７６】
図６は、或る実施形態による、スモールセルのディスカバリおよび報告のための、ネットワーク制御されたバックグラウンド異周波数間測定に関するシグナリングフロー図６００を示す。図６において、マクロｅＮＢから送信され得るメッセージ（１）は、ＵＥに対する指示ルールを含んでもよい。この指示ルールは、緩和された要件がキャリアに適用可能であるというものであってもよい。
【００７７】
一部の実施形態では、緩和された要件とは、ＵＥが、「ＵＥ奪取」を適用すること、したがって、すでに設定されている既存のギャップパターンから１つ以上のギャップを奪うことであってもよく、結果として、或る新たな最低パフォーマンスおよび最高パフォーマンスが適用される。
【００７８】
他の実施形態では、緩和された要件とは、ＵＥが自律的なギャップを適用することであってもよく、これは、データフローを中断する可能性がある（時間ウインドウあたり最大量）。
【００７９】
別の実施形態では、緩和された要件とは、ＵＥが「ＵＥ奪取」を適用すること、したがって、すでに設定されている既存のギャップパターンから１つ以上のギャップを奪うことであってもよく、結果として、或る新たな最低パフォーマンスおよび最高パフォーマンスが適用される。さらに、「奪取」アクションを原因とするより少ないギャップに起因して、他のキャリアに対しても低下したパフォーマンスが存し得る。
【００８０】
さらに別の実施形態では、緩和された要件とは、新たなギャップ設定をＵＥに提供することであってもよい。
【００８１】
図６に示されているように、指示とは、ネットワークからＵＥへのシグナリングであってもよい。さらに、ＵＥパフォーマンスは３６．１３３に定義されるであろう。
【００８２】
上述した様々な例示の実施形態は、継続的な異周波数間測定が設定されること（より少ないシグナリング）を可能にし、ＵＥの省力化の機会を許す。これら例示の実施形態は、スモールセル検出の最低要件を保証し、かつ（最低測定間隔時間により）最高パフォーマンスを保証し、これによりネットワークの最適化を可能にすることができる。例示の実施形態はさらに、ネットワークが低速なまたは制限されたＵＥスモールセル検出に依存することを可能にする。
【００８３】
或る実施形態では、スモールセルのバックグラウンドサーチの方法が記載されている。例えば、本方法は、ＵＥパフォーマンスを緩和することによって、スモールセルを発見するためのＵＥのパフォーマンス／能力を制限することを含んでもよい。本方法は、ＵＥが、どのキャリアにつきパフォーマンスを緩和するかについてＵＥに指示する信号を基地局から受信することを含んでもよい。本方法はさらに、複数の異周波数／ＲＡＴ間測定のための測定ギャップのギャップ設定を決定することをさらに含んでもよい。本方法はさらに、新たなＵＥパフォーマンス要件を提供すること、サービングセルをリスンするのを短期間中断するようにＵＥを設定することにより自律的なギャップ設定を提供することを含んでもよい。本方法はさらに、新たなギャップ設定をＵＥに提供することを含んでもよい。本方法はさらに、どのキャリアにつきパフォーマンスを緩和するかについての、ＵＥをトリガする信号を基地局が送信することを含んでもよい。
【００８４】
他の実施形態では、スモールセルのバックグラウンドサーチの装置が記載される。例えば、装置は、少なくとも１つのプロセッサと、コンピュータプログラムコードを備えた少なくとも１つのメモリとを備えてもよい。該少なくとも１つのメモリおよびコンピュータプログラムコードは、該少なくとも１つのプロセッサとともに、装置に少なくとも、スモールセルを発見するためのＵＥパフォーマンス／能力を、ＵＥパフォーマンスを緩和することによって、制限させるように構成されてもよい。コンピュータプログラムコードは、該少なくとも１つのプロセッサとともに、装置に少なくとも、どのキャリアにつきパフォーマンスを緩和するかについてＵＥに指示する信号を基地局から受信させるように構成されてもよい。コンピュータプログラムコードは、該少なくとも１つのプロセッサとともに、装置に少なくとも、どのキャリアにつきパフォーマンスを緩和するかについての、ＵＥをトリガする信号を送信させるように構成されてもよい。コンピュータプログラムコードは、該少なくとも１つのプロセッサとともに、装置に少なくとも、複数の異周波数／ＲＡＴ間測定のための測定ギャップのギャップ設定を決定させるように構成されてもよい。コンピュータプログラムコードは、該少なくとも１つのプロセッサとともに、装置に少なくとも、新たなＵＥパフォーマンス要件を提供させるように構成されてもよい。コンピュータプログラムコードは、該少なくとも１つのプロセッサとともに、装置に少なくとも、サービングセルをリスンするのを短期間中断するようにＵＥを設定することによって自律的なギャップ設定を提供させ、新たなギャップ設定を提供させるように構成されてもよい。
【００８５】
当業者であれば、上述した本発明が、異なる順序のステップにより、および／または開示されたものとは異なる構成のハードウェア構成要素により実践されてもよいことを容易に理解するであろう。したがって、本発明は、これら好適な実施形態に基づいて記載されたが、当業者には当然のことながら、本発明の意図および範囲内にとどまりながら、特定の変更、変形、および代わりの構造が明らかとなるであろう。
［略語および定義の一覧］
【００８６】
ＵＥ            ユーザ機器
ＨＯ            ハンドオーバ（Ｈａｎｄｏｖｅｒ）
ＴＰ            スループット
ＲＳＲＰ        参照信号受信電力
ＲＳＲＱ        参照信号受信品質
ＲＡ            ランダムアクセス（Ｒａｎｄｏｍ  Ａｃｃｅｓｓ）
ＲＡＣＨ        ランダムアクセスチャネル（Ｒａｎｄｏｍ  Ａｃｃｅｓｓ  Ｃｈａｎｎｅｌ）
Ｅ−ＵＴＲＡＮ  進化型ユニバーサル地上無線アクセスネットワーク
ＰＵＣＣＨ      パケットアップリンク制御チャネル（Ｐａｃｋｅｔ  Ｕｐｌｉｎｋ  Ｃｏｎｔｒｏｌ  Ｃｈａｎｎｅｌ）
ＳＲ            スケジューリングリクエスト（Ｓｃｈｅｄｕｌｉｎｇ  Ｒｅｑｕｅｓｔ）
【図１】
2016518060.tif 000013
【図２】
2016518060.tif 000014
【図３】
2016518060.tif 000015
【図４】
2016518060.tif 000016
【図５】
2016518060.tif 000017
【図６】
2016518060.tif 000018
【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
設定された他のパフォーマンスに対して相対的に緩和されたパフォーマンスが、或るキャリアに関して許可されるとユーザ機器によって判断することと；
前記判断された緩和されたパフォーマンスの許可に基づいて、測定機会を、設定されたギャップパターンから前記ユーザ機器によって奪取することと；
を含む方法。
【請求項２】
前記キャリア以外のキャリアに関しては通常のパフォーマンスを維持すること
をさらに含む、請求項１に記載の方法。
【請求項３】
前記奪取は、所定の周期性で発生するように設定される、請求項１または請求項２に記載の方法。
【請求項４】
前記奪取は、前記設定されたギャップパターンから、複数の測定機会を別の用途のために奪うことを含む、請求項１〜３のいずれかに記載の方法。
【請求項５】
前記ユーザ機器は、要件を満たすために前記ユーザ機器が必要とする測定機会のみを使用する、請求項１〜４のいずれかに記載の方法。
【請求項６】
設定された他のパフォーマンスに対して相対的に緩和されたパフォーマンスが、或るキャリアに関してユーザ機器に対し許可されると、基地局によって判断することと；
緩和されたパフォーマンスが前記キャリアに関して許可されるという指示を前記ユーザ機器に対してシグナリングすることと；
を含む方法であって、前記指示は、緩和されたパフォーマンスの前記許可に基づいて、測定機会を、設定されたギャップパターンから奪取するよう前記ユーザ機器をトリガするように構成される、方法。
【請求項７】
設定された他のパフォーマンスに対して相対的に緩和されたパフォーマンスが、或るキャリアに関して許可されるとユーザ機器によって判断する手段と；
前記判断された緩和されたパフォーマンスの許可に基づいて、測定機会を、設定されたギャップパターンから前記ユーザ機器によって奪取する手段と；
を備える装置。
【請求項８】
前記キャリア以外のキャリアに関しては通常のパフォーマンスを維持する手段
をさらに有する、請求項７に記載の装置。
【請求項９】
前記奪取は、所定の周期性で発生するように設定される、請求項７または請求項８に記載の装置。
【請求項１０】
前記奪取は、前記設定されたギャップパターンから、複数の測定機会を別の用途のために奪うことを含む、請求項７〜９のいずれかに記載の装置。
【請求項１１】
前記ユーザ機器は、要件を満たすために前記ユーザ機器が必要とする測定機会のみを使用する、請求項７〜１０のいずれかに記載の装置。
【請求項１２】
設定された他のパフォーマンスに対して相対的に緩和されたパフォーマンスが、或るキャリアに関してユーザ機器に対し許可されると基地局によって判断する手段と；
緩和されたパフォーマンスが前記キャリアに関して許可されるという指示を前記ユーザ機器に対してシグナリングする手段と；
を備える装置であって、前記指示は、緩和されたパフォーマンスの前記許可に基づいて、測定機会を、設定されたギャップパターンから奪取するよう前記ユーザ機器をトリガするように構成される、装置。
【請求項１３】
処理手段及び記憶手段を備える装置であって、前記記録手段はプログラム命令を格納し、前記プログラム命令は、前記処理手段に実行されると、請求項１〜６のいずれかに記載の方法を前記装置に遂行させるように構成される、装置。
【請求項１４】
装置の処理手段に実行されると、前記装置に、請求項１〜６のいずれかに記載の方法を遂行させるように構成されるプログラム命令を備える、コンピュータプログラム。
【国際調査報告】
2016518060.tif 000019
2016518060.tif 000020
2016518060.tif 000021